(57)【要約】【課題】広告の掲載頻度が広告費に見合うように，ブックカバーに広告を印刷できることを課題とする。【解決手段】  ブックカバー広告管理装置１は，サイズに係る基本単位を用いて表した広告サイズと，広告主が要望する優先度が少なくともプロパティとして設定された複数の広告データを記憶した広告ＤＢ１１と，広告サイズと優先度を乗算して広告データの掲載頻度を求める処理を，広告ＤＢ１１に記憶されている広告データごとに実行した後，広告データの掲載頻度から得られた広告データの掲載確率を利用して，一枚のブックカバー２に印刷する広告データを選定し，選定した広告データを含ませた印刷データを生成する処理を実行する広告印刷手段１０を備えている。【選択図】図１
2017227952.tif 000002
【特許請求の範囲】
【請求項１】
サイズに係る基本単位を用いて表した広告サイズと，広告主が要望する優先度が少なくともプロパティとして設定された複数の広告データを記憶した広告データベースと，
前記広告サイズと前記優先度を乗算して前記広告データの掲載頻度を求める処理を，前記広告データベースに記憶されている前記広告データごとに実行した後，前記広告データの掲載頻度から得られた前記広告データの掲載確率を利用して，一枚のブックカバーに印刷する前記広告データを選定し，選定した前記広告データを含ませた印刷データを生成する広告印刷手段を，
備えたことを特徴とするブックカバー広告管理装置。
【請求項２】
前記ブックカバー広告管理装置の前記広告印刷手段は，前記広告データ毎の印刷実績回数を管理し，ブックカバーに前記広告データを印刷する前に，予め設定された印刷パターン数だけ，前記印刷データを生成する処理を繰り返し実行して，前記印刷パターン数に応じた数の前記印刷データを含む広告印刷パターンを生成し，ブックカバーに前記広告データを印刷する際，前記広告印刷パターンに含まれる前記印刷データの中から一つの前記印刷データをランダムに選択してプリンタに出力した後，プリンタに出力した前記印刷データに基づいて前記広告データ毎の印刷実績回数を更新する，
ことを特徴とする，請求項１に記載したブックカバー広告管理装置。
【発明の詳細な説明】
【技術分野】
【０００１】
本発明は，ブックカバーに印刷する広告を選定する技術に関する。
【背景技術】
【０００２】
書籍を購入した顧客に書店が無償で提供するブックカバーは，広告媒体として以前より利用されている。ブックカバーを広告媒体として利用するには，広告を印刷したブックカバーが必要になる。
【０００３】
書籍の表側になるブックカバーの部分には，ブックカバーを無償で提供する書店の広告（ロゴなど）を印刷するため，ブックカバーを書籍にかけるときに内側に折り返されて袖となるブックカバーの部分に広告を印刷するのが一般的である。袖となる部分のサイズは，ブックカバーをかける書籍のサイズによって変わってしまうため，特許文献１で開示されている発明では，ブックカバーのサイズと書籍のサイズから，広告を印刷可能な領域を抽出し，ブックカバーに印刷する広告としてこの領域に合わせた広告を選定している。
【先行技術文献】
【特許文献】
【０００４】
【特許文献１】特開２０１５−２３０３７５号公報
【発明の概要】
【発明が解決しようとする課題】
【０００５】
特許文献１に係る発明では，ブックカバーに複数の広告を印刷する場合，広告を印刷可能な領域に収まるサイズの広告を抽出した後，その優先度順に印刷できるまで広告を選定している。この手法だと，優先度が同一の場合，サイズの大きい広告は，サイズの小さい広告と比較して広告費は高いにも係わらず，ブックカバーへの広告の掲載頻度についてはサイズの小さい広告と理論的には同じになる。サイズの大きい広告は，サイズの小さい広告よりブックカバー内で目立つが，ブックカバーは書店が無償で顧客に提供するものであることからすると，広告の掲載頻度が同じだと，広告を目にする人の数は同じになり，広告主側からすると広告費に見合った広告効果が得られないことになる。
【０００６】
そこで，本発明は，広告の掲載頻度が広告費に見合うように，ブックカバーに広告を印刷できることを目的とする。
【課題を解決するための手段】
【０００７】
上述した課題を解決する第１の発明は，サイズに係る基本単位を用いて表した広告サイズと，広告主が要望する優先度が少なくともプロパティとして設定された複数の広告データを記憶した広告データベースと， 前記広告サイズと前記優先度を乗算して前記広告データの掲載頻度を求める処理を，前記広告データベースに記憶されている前記広告データごとに実行した後，前記広告データの掲載頻度から得られた前記広告データの掲載確率を利用して，一枚のブックカバーに印刷する前記広告データを選定し，選定した前記広告データを含ませた印刷データを生成する広告印刷手段を備えたことを特徴とするブックカバー広告管理装置である。
【０００８】
更に，第２の発明は，第１の発明に記載したブックカバー広告管理装置において，前記ブックカバー広告管理装置の前記広告印刷手段は，前記広告データ毎の印刷実績回数を管理し，ブックカバーに前記広告データを印刷する前に，予め設定された印刷パターン数だけ，前記印刷データを生成する処理を繰り返し実行して，前記印刷パターン数に応じた数の前記印刷データを含む広告印刷パターンを生成し，ブックカバーに前記広告データを印刷する際，前記広告印刷パターンに含まれる前記印刷データの中から一つの前記印刷データをランダムに選択してプリンタに出力した後，プリンタに出力した前記印刷データに基づいて前記広告データ毎の印刷実績回数を更新することを特徴とする。第２の発明によれば，前記広告データ毎の印刷実績回数を管理することで，前記広告の掲載頻度の実績に見合った広告費を広告主に請求できる。また，第２の発明によれば，前記広告印刷パターンを予め生成しておくことで，ブックカバーに前記広告データを印刷する処理を高速化できる。
【発明の効果】
【０００９】
本発明によれば，広告ＤＢに記憶されている広告データ毎に，広告サイズと優先度を乗算することで広告データの掲載頻度が算出される。広告データの広告サイズが大きいほど広告費は高くなり，また，広告データの優先度が大きいほど広告費は高くなるため，上述のように広告データの掲載頻度を算出することで，広告データの掲載頻度は広告データの広告費に見合った数値になる。
【図面の簡単な説明】
【００１０】
【図１】ブックカバー広告管理装置を配置したシステムの構成を説明する図。
【図２】本実施形態に係るブックカバーを説明する図。
【図３】ブックカバー広告管理装置のブロック図。
【図４】ブックカバーにおける広告領域を説明する図。
【図５】ブックカバー広告管理装置の広告印刷手段の動作を説明する図。
【図６】広告データの掲載確率の算出例を示した図。
【図７】印刷実績の例を示した図。
【発明を実施するための形態】
【００１１】
ここから，本発明の好適な実施形態を記載する。なお，以下の記載は本発明の技術的範囲を束縛するものでなく，理解を助けるために記述するものである。
【００１２】
図１は，ブックカバー広告管理装置１を配置したシステムの構成を説明する図である。図１で図示したシステムは，ブックカバーの印刷に用いる様々な広告データが登録され，ブックカバーに印刷する広告データを含ませた印刷データを出力するブックカバー広告管理装置１に加え，ブックカバー広告管理装置１が出力した印刷データを用いて広告を印刷するプリンタ４（５，６）を含む。
【００１３】
図２は，本実施形態に係るブックカバー２を説明する図である。図２（ａ）では，広告を印刷したブックカバー２を図示している。ブックカバー２は，一枚の矩形状をなした用紙で，書籍３の外側にかけたとき袖となる部分に広告が印刷される。図２（ａ）では，ブックカバー２の左側には広告データ２ａ（「Ａ−Ｓｈｏｐ．ｃｏｍ」）が印刷され，ブックカバー２の右側には広告データ２ｂ（お茶漬け）と広告データ２ｃ（缶コーヒー）が上下に印刷されている。
【００１４】
図２（ｂ）では，書籍３の外側にかけた状態のブックカバー２を図示している。書籍３の外側にかけるとき，図２（ａ）で図示したブックカバー２は，裏返しにされて左右が内側に折り込まれて書籍３の外側にかけられる。書籍の外側にブックカバー２をかけると，ブックカバー２に印刷した広告が袖２ｄに現れる。
【００１５】
図３は，ブックカバー広告管理装置１のブロック図である。本実施形態に係るブックカバー広告管理装置１は，ＣＰＵ，メモリ，外部記憶装置（例えば，ハードディスク），入力装置（例えば，キーボード），表示装置（例えば，液晶ディスプレイ）およびネットワークインターフェースなどから構成されるサーバを利用して実現される装置である。
【００１６】
図３に図示したように，本実施形態に係るブックカバー広告管理装置１は，ブックカバー広告管理装置１として用いるサーバを動作させるコンピュータプログラムで実現される機能として，一枚のブックカバーに印刷する前記広告データを選定し，選定した前記広告データを含ませた印刷データを生成する広告印刷手段１０を備える。また，本実施形態に係るブックカバー広告管理装置１は，広告印刷手段１０が利用するデータを記憶したデータベースとして，ブックカバー２に印刷する複数の広告データと，広告データの印刷実績数を記録するデータテーブルである印刷実績テーブルを記憶した広告データベース（DB: DataBase）１１を備える。広告ＤＢ１１に記憶する広告データは任意に決定できるが，本実施形態では，広告の掲載期間（例えば，７月１日から８月３１日）に対して申し込みのあった広告の広告データにしている。
【００１７】
広告ＤＢ１１に記憶される広告データは，ブックカバー２に印刷する広告の画像データで，広告データには，広告サイズと優先度が少なくともプロパティとして設定されている。広告データの優先度は，広告主の要望により決められる値で，広告データの優先度が大きいほど，広告データを掲載する頻度が大きいことを意味する。また，広告サイズは，サイズに係る基本単位を用いて広告データのサイズを表した値である。
【００１８】
図４は，ブックカバー２における広告領域２０を説明する図である。本実施形態において，ブックカバー２における広告領域２０は，ブックカバー２を書籍３の外側にかけたときに袖となる左右の部分それぞれに設けられている。本実施形態では，サイズの基本単位に枠を用い，一つの広告領域２０の約半分のサイズを１枠としている。一枚のブックカバー２における広告領域２０のトータルサイズは４枠で，これ以降，１枠と等しいサイズを半面サイズと記載し，半面サイズを縦に２つ並べたサイズを全面サイズと記載する。なお，半面サイズのサイズは１枠に等しいため，半面サイズの広告データにおいて広告サイズは「１」になる。また，全面サイズの広告データにおいて広告サイズは「２」になる。
【００１９】
図５は，ブックカバー広告管理装置１の広告印刷手段１０の動作を説明する図である。最初に実行される処理Ｌ１は，広告ＤＢ１１に記憶された広告データ毎に実行される処理である。本実施形態では，広告の掲載期間に対して申し込みのあった広告の広告データが広告ＤＢ１１に記憶されるため，広告の掲載期間に対して申し込みのあった広告の広告データ毎に処理Ｌ１が実行されることになる。
【００２０】
広告ＤＢ１１に記憶された広告データ毎に実行される処理Ｌ１において，ブックカバー広告管理装置１の広告印刷手段１０は，まず，広告ＤＢ１１にアクセスし，広告ＤＢ１１に記憶されている広告データの広告サイズと優先度を取得する処理を実行する（Ｓ１）。広告データのプロパティに含まれる広告サイズと優先度は，広告データの掲載頻度の算出に用いられるデータになる。
【００２１】
次に，ブックカバー広告管理装置１の広告印刷手段１０は，処理Ｌ１に係る処理として，広告サイズと優先度を乗算した値を広告データの掲載頻度として算出する処理を実行する（Ｓ２）。このように広告データの掲載頻度を算出することで，広告サイズが大きいほど掲載頻度は大きくなり，また，優先度が大きいほど掲載頻度は大きくなる。広告サイズが大きいほど広告費は高くなり，また，優先度が大きいほど広告費は高くなるため，広告サイズと優先度を乗算した値を広告データの掲載頻度として算出することで，広告データの掲載頻度を広告費に見合った数値にできる。
【００２２】
広告データの掲載頻度はパーセントの形式になっていないため，処理Ｌ１に係る処理が全て終了すると，ブックカバー広告管理装置１の広告印刷手段１０は，広告ＤＢ１１に記憶された全ての広告データの掲載頻度の総和をもとめた後，広告データの掲載頻度をパーセントの形式に変換することで，広告ＤＢ１１に記憶された広告データ毎の掲載確率を算出する処理を実行する（Ｓ３）。
【００２３】
これ以降の処理は，広告の掲載期間直前に実行され，予め設定された印刷パターン数に応じて繰り返し実行される処理Ｌ２である。広告の掲載期間は月単位になるため，例えば，ブックカバー２の配布部数を印刷パターン数に利用できる。
【００２４】
ブックカバー広告管理装置１の広告印刷手段１０は，処理Ｌ２に係る処理として，まず，広告データの掲載確率を利用して，一枚のブックカバー２に印刷する広告データを選定する処理を実行する（Ｓ４）。広告データの掲載確率を利用して，ブックカバー２に印刷する広告データを選定する処理の具体的内容は任意に決定できる。例えば，広告データ毎に選定回数を管理し，広告データの掲載確率とこれまでの選定回数を利用して，なるべく広告データの掲載確率通りに広告データが選定されるようにするとよい。
【００２５】
ブックカバー２に印刷する広告データを選定すると，ブックカバー広告管理装置１の広告印刷手段１０は，処理Ｌ２に係る処理として，選定した広告データを含ませた印刷データを生成する処理を実行する（Ｓ５）。
【００２６】
処理Ｌ２に係る処理が全て終了することで，印刷パターン数に応じた数の印刷データが生成され，ブックカバー広告管理装置１の広告印刷手段１０は，印刷データを生成順に並べた広告印刷パターンを生成する処理を実行する（Ｓ６）。
【００２７】
これ以降の処理は，広告の掲載期間中に実行される処理である。広告の掲載期間中になると，ブックカバー広告管理装置１の広告印刷手段１０は，例えば，広告印刷パターンに含まれる印刷データをランダムに一つ選定してプリンタ４に出力し，一枚のブックカバーに広告を印刷する処理を実行する（Ｓ７）。
【００２８】
図１では，ブックカバーの印刷に用いるプリンタ４として，印刷会社に設置される大型のプリンタ５と，書店に設置される小型のプリンタ６を図示している。印刷会社に設置される大型のプリンタ５を用いてブックカバー２を印刷する場合，広告も含め，ブックカバー２に印刷するすべての絵柄（書店の広告など）を大型のプリンタ５で印刷するように構成できる。また，書店に設置される小型のプリンタ６を用いてブックカバー２を印刷する場合，小型のプリンタ６を用いて，広告以外の絵柄を予め印刷したブックカバー２に広告を印刷する。
【００２９】
ブックカバー広告管理装置１の広告印刷手段１０は，ブックカバー２の印刷データをプリンタ４に出力すると，プリンタ４に出力した印刷データを用い印刷実績テーブルを更新する処理を実行して（Ｓ８），この手順は終了する。
【００３０】
ここから，ブックカバー２の印刷例について説明する。図６は，広告データの掲載確率の算出例を示した図である。図６では，ブックカバー２の印刷に用いる広告データを広告データＡ，Ｂ，Ｃ１，Ｃ２，Ｄまでの５つとしている。例えば，全面サイズである広告データＡの広告主は広告主Ａで，広告データＡの広告サイズは「２」である。また，広告主Ａが広告データＡに要望する広告データの優先度は「２」であるため，広告データＡの掲載頻度は「４（２×２）」になる。広告データの掲載確率は，広告データの掲載頻度を掲載頻度の総和で除算することで得られ，広告データＡの掲載頻度は「４」，図５において掲載頻度の総和は「１０」であるため，広告データＡの掲載確率は「４０％」になる。このように，全ての広告データにおいて掲載確率を算出することで，図５において，掲載確率は，広告データＡ，Ｂ，Ｃ１，Ｃ２，Ｄの順に，「４０％」，「１０％」，「２０％」，「１０％」，「２０％」になる。
【００３１】
図７は，印刷実績の例を示した図である。図７（ａ）は，月間で必要となるブックカバー２の数を示している。図７（ａ）では，一日に販売される書籍の平均数は１００冊で，ブックカバー２を希望する割合は８０％であるため，月間で必要となるブックカバー２の配布部数は２，４００枚（１００×０．８×３０）になる。また，本実施形態において，一枚のブックカバー２における広告領域のサイズは４枠になるため，月間で必要となるブックカバー２における広告領域のトータルサイズは９６００枠になる。
【００３２】
図７（ｂ）では，印刷実績テーブルの一例を示している。図７（ｂ）で図示した印刷実績テーブルには，掲載確率，枠を用いて表された掲載数の期待値，枠を用いて表された掲載数の実績値，掲載数の実績値から求めた広告費が広告データごとに記憶されている。図７（ｂ）では，広告データの掲載確率は，広告データＡ，Ｂ，Ｃ１，Ｃ２，Ｄの順に，「４０％」，「１０％」，「２０％」，「１０％」，「２０％」である。また，枠を用いて表された掲載数の期待値は，広告データＡ，Ｂ，Ｃ１，Ｃ２，Ｄの順に，「３，８４０枠」，「９６０枠」，「１，９２０枠」，「９６０枠」，「１，９２０枠」である。また，枠を用いて表された掲載数の実績値は，広告データＡ，Ｂ，Ｃ１，Ｃ２，Ｄの順に，「３，２００枠」，「８００枠」，「１，６００枠」，「８００枠」，「１，６００枠」である。掲載数の実績値は，広告費の算出に用いることができる。本実施形態では，１枠当たりの広告費を２０円としており，広告データの広告費は，広告データＡ，Ｂ，Ｃ１，Ｃ２，Ｄの順に，「６４，０００円」，「１６，０００円」，「３２，０００円」，「１６，０００円」，「３２，０００円」である。
【符号の説明】
【００３３】
１    ブックカバー広告管理装置
１０  広告印刷手段
１１  広告ＤＢ
２    ブックカバー
２０  広告領域
【図１】
2017227952.tif 000003
【図２】
2017227952.tif 000004
【図３】
2017227952.tif 000005
【図４】
2017227952.tif 000006
【図５】
2017227952.tif 000007
【図６】
2017227952.tif 000008
【図７】
2017227952.tif 000009